(57)【特許請求の範囲】
【請求項１】
相対し、その間に相手方コネクタが挿入可能であり且つ相手方コネクタの挿入方向の第１、第２端とこの第１、第２端に交差する第３端とを各々有する一対の内壁部と、
この内壁部の一部が内側に切り起こされた一対の弾性接触片と、
前記内壁部に前記弾性接触片を切り起こすために形成された一対の開口又は切欠き部と、
前記内壁部の第３端間を連結する第１連結部と、
前記内壁部の第１端に連設され且つ当該内壁部の第２端側に折り返された一対の折り返し部と、
この折り返し部に連設されており且つ前記内壁部の外面に沿って配置され、前記開口又は切欠き部を覆う壁であって、前記内壁部の第３端に対向する第１端と、その反対側の第２端とを各々有する一対の外壁部と、
この外壁部の前記挿入方向の手前側部分に設けられた一対の第１接続用脚部と、
前記外壁部の第２端間を連結する第２連結部と、
前記第２連結部に連設されており且つ少なくとも前記内壁部、第１連結部及び第２連結部によって区画された収容空間の前記挿入方向の一方側の開放部を閉塞するカバー部と、
前記カバー部の両端又は前記内壁部の第２端に連設され且つ前記外壁部の外面に沿う一対のタブとを備えているシールドケース。
【請求項２】
相対し、その間に相手方コネクタが挿入可能であり且つ相手方コネクタの挿入方向の第１、第２端とこの第１、第２端に交差する第３端と前記第３端の反対側の第４端とを各々有する一対の内壁部と、
この内壁部の一部が内側に切り起こされた一対の弾性接触片と、
前記内壁部に前記弾性接触片を切り起こすために形成された一対の開口又は切欠き部と、
前記内壁部の第３端間を連結する第１連結部と、
前記内壁部の第１端に連設され且つ当該内壁部の第２端側に折り返された一対の折り返し部と、
この折り返し部に連設されており且つ前記内壁部の外面に沿って配置され、前記開口又は切欠き部を覆う一対の外壁部と、
この外壁部の前記挿入方向の手前側部分に設けられた一対の第１接続用脚部と、
前記内壁部の第４端間を連結する第２連結部と、
前記第２連結部に連設されており且つ少なくとも前記内壁部、第１連結部及び第２連結部によって区画された収容空間の前記挿入方向の一方側の開放部を閉塞するカバー部と、
前記カバー部の両端又は前記内壁部の第２端に連設され且つ前記外壁部の外面に沿う一対のタブとを備えているシールドケース。
【請求項３】
相対し、その間に相手方コネクタが挿入可能であり且つ相手方コネクタの挿入方向の第１、第２端とこの第１、第２端に交差する第３端とを各々有する一対の内壁部と、
この内壁部の一部が内側に切り起こされた一対の弾性接触片と、
前記内壁部に前記弾性接触片を切り起こすために形成された一対の開口又は切欠き部と、
前記内壁部の第３端間を連結する第１連結部と、
前記内壁部の第１端に連設され且つ当該内壁部の第２端側に折り返された一対の折り返し部と、
この折り返し部に連設されており且つ前記内壁部の外面に沿って配置され、前記開口又は切欠き部を覆う一対の外壁部と、
この外壁部の前記挿入方向の手前側部分に設けられた一対の第１接続用脚部と、
前記内壁部の第２端に連設され且つ前記外壁部の外面に沿う一対のタブとを備えているシールドケース。
【請求項４】
請求項１〜３の何れかに記載のシールドケースにおいて、
前記外壁部及び前記タブの何れか一方には係止凸部が設けられており、他方には、前記係止凸部を係止する係止凹部又は係止孔が設けられているシールドケース。
【請求項５】
請求項１〜２の何れかに記載のシールドケースにおいて、
前記第１、第２連結部の少なくとも一方に設けられており且つ前記収容空間に挿入された相手方コネクタを係止可能なロック片を更に備えているシールドケース。
【請求項６】
請求項１〜５の何れかに記載のシールドケースにおいて、
前記外壁部には、前記開口に連通し、当該開口よりも外形が小さい逃がし孔が設けられており、
前記弾性接触片は、相手方コネクタに弾性接触すると、当該弾性接触片の先端部が外側に変位し前記逃がし孔に挿入されるようになっているシールドケース。
【請求項７】
請求項１〜６の何れかに記載のシールドケースにおいて、
前記外壁部の前記挿入方向の奥側部分に設けられた一対の第２接続用脚部を更に備えたシールドケース。
【請求項８】
請求項１〜７の何れかに記載のシールドケースにおいて、
前記タブが、前記外壁部の外面に当接しているシールドケース。
【請求項９】
請求項１〜８の何れかに記載のシールドケースと、
前記シールドケース内に収容された絶縁性のボディと、
このボディに配列された複数のコンタクトとを備えたコネクタ。
【請求項１０】
請求項９記載のコネクタを外部インターフェースとして備える電子機器。
【発明の詳細な説明】
【技術分野】
【０００１】
本発明は、シールドケース、これを用いたコネクタ及びこのコネクタを備えた電子機器に関する。
【背景技術】
【０００２】
この種のレセプタクルコネクタは、筒状のシールドケースと、このシールドケースの奥側部分に収容されたボディと、このボディに配列された複数のコンタクトとを備えたものがある。シールドケースの手前側部分とボディの前面とがプラグコネクタが挿入可能な挿入穴を区画している。前記シールドケースは、底板部と、互いに対向する一対の側壁部と、この側壁部の一部を切り起こし且つ内側に傾斜させた一対の弾性接触片と、側壁部の奥側部分に垂下され且つ基板に半田接続される一対の接続用脚部とを備えている（特許文献１の第７頁、図１及び図２等参照）。
【先行技術文献】
【特許文献】
【０００３】
【特許文献１】特表２０００−５１５３０２号公報
【発明の概要】
【発明が解決しようとする課題】
【０００４】
ところで、弾性接触片は、挿入穴に挿入されるプラグコネクタのシェルに弾性接触するために、当該シールドケースの側壁部の手前側部分に配設されている。また、シールドケースの奥側部分にボディが収容されることから、底板部が側壁部の手前側部分の間に設けられている。このようなシールドケースの構造上、接続用脚部は側壁部の奥側部分にしか設けることができない。よって、プラグコネクタがシールドケースに挿入された状態で、当該シールドケースの手前側部分及び／又はボディの前面に負荷がかかると、シールドケースの奥側に位置する接続用脚部が支点となって前記レセプタクルコネクタが動作するため、接続用脚部と基板との半田接続部に大きな負荷がかかる。このように前記レセプタクルコネクタは、基板に対する剥離強度が弱かった。
【０００５】
また、側壁部の弾性接触片の周囲には、当該弾性接触片を切り起こしたことにより開口が形成されている。よって、前記レセプタクルコネクタは、シールドケースの強度が低下すると共に、シールドケースのＥＭＩ特性も低下していた。
【０００６】
本発明は、上記事情に鑑みて創案されたものであって、その目的とするところは、基板に対する剥離強度の向上を図ることができ且つ弾性接触片を備えたとしても、シールドケースの強度及びＥＭＩ特性の低下を抑制することができるシールドケース、コネクタ及び電子機器を提供することにある。
【課題を解決するための手段】
【０００７】
上記課題を解決するために、本発明の第１シールドケースは、相対し、その間に相手方コネクタが挿入可能であり且つ相手方コネクタの挿入方向の第１、第２端とこの第１、第２端に交差する第３端とを各々有する一対の内壁部と、この内壁部の一部が内側に切り起こされた一対の弾性接触片と、前記内壁部に前記弾性接触片を切り起こすために形成された一対の開口又は切欠き部と、前記内壁部の第３端間を連結する第１連結部と、前記内壁部の第１端に連設され且つ当該内壁部の第２端側に折り返された一対の折り返し部と、この折り返し部に連設されており且つ前記内壁部の外面に沿って配置され、前記開口又は切欠き部を覆う壁であって、前記内壁部の第３端に対向する第１端と、その反対側の第２端とを各々有する一対の外壁部と、この外壁部の前記挿入方向の手前側部分に設けられた一対の第１接続用脚部と、前記外壁部の第２端間を連結する第２連結部と、前記第２連結部に連設されており且つ少なくとも前記内壁部、第１連結部及び第２連結部によって区画された収容空間の前記挿入方向の一方側の開放部を閉塞するカバー部と、前記カバー部の両端又は前記内壁部の第２端に連設され且つ前記外壁部の外面に沿う一対のタブとを備えている。
【０００８】
このような態様の発明による場合、シールドケースの前記挿入方向の手前側部分に相手方コネクタが挿入され、当該シールドケースに負荷がかかったとしても、外壁部の手前側部分に第１接続用脚部が設けられているため、接続用脚部が奥側部分に位置する従来例に比べて、第１接続用脚部と基板との半田接続部にかかる負荷の低減を図ることができる。よって、前記シールドケースの基板に対する剥離強度を向上させることができる。しかも、外壁部が内壁部の外面に沿うように配置され、当該内壁部を補強しているので、内壁部の一部を切り起こして弾性接触片を作成したとしても、シールドケースの強度低下を抑制することができる。更に、外壁部が内壁部の開口又は切欠き部を覆っているため、内壁部の一部を切り起こして弾性接触片を作成したとしても、シールドケースのＥＭＩ特性の低下も抑制することができる。
内壁部の第３端間が第１連結部に連結され、外壁部の第２端間が第２連結部に連結されているため、シールドケースの強度を向上させることができる。前記収容空間の開放部がカバー部で閉塞されているので、シールドケースの更なるＥＭＩ特性の向上を図ることができる。タブが外壁部の外面に沿うことにより抑え部として機能する。このため、シールドケースの強度を更に向上させることができる。
【０００９】
本発明の第２シールドケースは、相対し、その間に相手方コネクタが挿入可能であり且つ相手方コネクタの挿入方向の第１、第２端とこの第１、第２端に交差する第３端と前記第３端の反対側の第４端とを各々有する一対の内壁部と、この内壁部の一部が内側に切り起こされた一対の弾性接触片と、前記内壁部に前記弾性接触片を切り起こすために形成された一対の開口又は切欠き部と、前記内壁部の第３端間を連結する第１連結部と、前記内壁部の第１端に連設され且つ当該内壁部の第２端側に折り返された一対の折り返し部と、この折り返し部に連設されており且つ前記内壁部の外面に沿って配置され、前記開口又は切欠き部を覆う一対の外壁部と、この外壁部の前記挿入方向の手前側部分に設けられた一対の第１接続用脚部と、前記内壁部の第４端間を連結する第２連結部と、前記第２連結部に連設されており且つ少なくとも前記内壁部、第１連結部及び第２連結部によって区画された収容空間の前記挿入方向の一方側の開放部を閉塞するカバー部と、前記カバー部の両端又は前記内壁部の第２端に連設され且つ前記外壁部の外面に沿う一対のタブとを備えている。
【００１０】
このような態様の発明による場合、シールドケースの前記挿入方向の手前側部分に相手方コネクタが挿入され、当該シールドケースに負荷がかかったとしても、外壁部の手前側部分に第１接続用脚部が設けられているため、接続用脚部が奥側部分に位置する従来例に比べて、第１接続用脚部と基板との半田接続部にかかる負荷の低減を図ることができる。よって、前記シールドケースの基板に対する剥離強度を向上させることができる。しかも、外壁部が内壁部の外面に沿うように配置され、当該内壁部を補強しているので、内壁部の一部を切り起こして弾性接触片を作成したとしても、シールドケースの強度低下を抑制することができる。更に、外壁部が内壁部の開口又は切欠き部を覆っているため、内壁部の一部を切り起こして弾性接触片を作成したとしても、シールドケースのＥＭＩ特性の低下も抑制することができる。
内壁部の第３端間が第１連結部に連結され、内壁部の第４端間が第２連結部に連結されているので、シールドケースの強度を向上させることができる。前記収容空間の開放部がカバー部で閉塞されているので、シールドケースの更なるＥＭＩ特性の向上を図ることができる。タブが外壁部の外面に沿うことにより抑え部として機能する。このため、シールドケースの強度を更に向上させることができる。
【００１１】
本発明の第３シールドケースは、相対し、その間に相手方コネクタが挿入可能であり且つ相手方コネクタの挿入方向の第１、第２端とこの第１、第２端に交差する第３端とを各々有する一対の内壁部と、この内壁部の一部が内側に切り起こされた一対の弾性接触片と、前記内壁部に前記弾性接触片を切り起こすために形成された一対の開口又は切欠き部と、前記内壁部の第３端間を連結する第１連結部と、前記内壁部の第１端に連設され且つ当該内壁部の第２端側に折り返された一対の折り返し部と、この折り返し部に連設されており且つ前記内壁部の外面に沿って配置され、前記開口又は切欠き部を覆う一対の外壁部と、この外壁部の前記挿入方向の手前側部分に設けられた一対の第１接続用脚部と、前記内壁部の第２端に連設され且つ前記外壁部の外面に沿う一対のタブとを備えている。
【００１２】
このような態様の発明による場合、シールドケースの前記挿入方向の手前側部分に相手方コネクタが挿入され、当該シールドケースに負荷がかかったとしても、外壁部の手前側部分に第１接続用脚部が設けられているため、接続用脚部が奥側部分に位置する従来例に比べて、第１接続用脚部と基板との半田接続部にかかる負荷の低減を図ることができる。よって、前記シールドケースの基板に対する剥離強度を向上させることができる。しかも、外壁部が内壁部の外面に沿うように配置され、当該内壁部を補強しているので、内壁部の一部を切り起こして弾性接触片を作成したとしても、シールドケースの強度低下を抑制することができる。更に、外壁部が内壁部の開口又は切欠き部を覆っているため、内壁部の一部を切り起こして弾性接触片を作成したとしても、シールドケースのＥＭＩ特性の低下も抑制することができる。
タブが外壁部の外面に沿うことにより抑え部として機能する。このため、シールドケースの強度を更に向上させることができる。
【００１３】
前記外壁部及び前記タブの何れか一方に係止凸部を設け、他方に前記係止凸部を係止する係止凹部又は係止孔を設けることが可能である。このような態様の発明による場合、係止凸部が係止凹部又は係止孔に係止されることにより、タブが外壁部の外面に沿った状態が維持される。よって、シールドケースの強度を更に向上させる上でメリットがある。
【００１４】
前記シールドケースは、前記第１、第２連結部の少なくとも一方に設けられており且つ前記収容空間に挿入された相手方コネクタを係止可能なロック片を更に備えた構成とすることが可能である。このような態様の発明による場合、ロック片で相手方コネクタを係止することができるので、相手方コネクタの接続状態が確かなものとなり、その結果、前記シールドケースを用いたコネクタの接続信頼性を向上させることが可能になる。
【００１５】
前記外壁部には、前記開口に連通し、当該開口よりも外形が小さい逃がし孔を設けることが可能である。この場合、前記弾性接触片は、相手方コネクタに弾性接触すると、当該弾性接触片の先端部が外側に変位し前記逃がし孔に挿入されるようになっている。このような態様の発明による場合、外壁部に逃がし孔が設けられているものの、当該逃がし孔は開口よりも外形が小さいので、開口が直接外部に露出する従来のコネクタに場合に比べて、シールドケースのＥＭＩ特性の向上を図ることができる。
【００１６】
前記シールドケースは、前記外壁部の前記挿入方向の奥側部分に設けられた一対の第２接続用脚部を更に備えた構成とすることが可能である。このような態様の発明による場合、第１、第２接続用脚部が基板に半田接続されるので、前記シールドケースの基板に対する剥離強度を更に向上させることができる。
前記タブは、前記外壁部の外面に当接した構成とすることが可能である。
【００１７】
本発明のコネクタは、上述したシールドケースと、前記シールドケース内に収容された絶縁性のボディと、このボディに配列された複数のコンタクトとを備えている。
【００１８】
本発明の電子機器は、前記コネクタを外部インターフェースとして備えている。
【図面の簡単な説明】
【００１９】
【図１Ａ】本発明の実施の形態に係るレセプタクルコネクタの正面、平面及び右側面側から表した斜視図である。
【図１Ｂ】前記レセプタクルコネクタの背面、底面及び右側面側から表した斜視図である。
【図２Ａ】前記コネクタの正面図である。
【図２Ｂ】前記コネクタの背面図である。
【図３Ａ】前記コネクタの平面図である。
【図３Ｂ】前記コネクタの底面図である。
【図３Ｃ】前記コネクタの右側面図である。
【図４Ａ】前記コネクタの図２Ａ中の４Ａ−４Ａ断面図である。
【図４Ｂ】前記コネクタの図２Ａ中の４Ｂ−４Ｂ断面図と、接続前の相手方プラグの模式的断面図とを併記した説明図である。
【図４Ｃ】前記コネクタの図２Ａ中の４Ｃ−４Ｃ断面図と、接続前の相手方プラグの模式的断面図とを併記した説明図である。
【図５Ａ】前記コネクタのシールドケースの図１Ａ中の５Ａ−５Ａ断面図である。
【図５Ｂ】前記コネクタのシールドケースの図１Ａ中の５Ｂ−５Ｂ断面図である。
【図６Ａ】前記コネクタの第１、第２コンタクトを保持したボディの正面、平面及び右側面側から表した斜視図である。
【図６Ｂ】前記コネクタの第１、第２コンタクトを保持したボディの正面、底面及び左側面側から表した斜視図である。
【図７】前記コネクタが実装される基板の模式的平面図である。
【図８】前記コネクタの設計変更例を示す概略的正面図である。
【発明を実施するための形態】
【００２０】
以下、本発明の実施形態に係るレセプタクルコネクタについて図１Ａ乃至図７を参照しつつ説明する。図１Ａ乃至図３Ｃに示すレセプタクルコネクタ（以下、レセプタクルＲ）は、図示しない電子機器の基板１０（図７参照）に実装され、当該電子機器の外部インターフェースとして用いられるＳｔｄ-ＵＳＢ（Universal Serial Bus）であって、図４Ｂ及び図４Ｃに示すＵＳＢ３.０用のプラグコネクタ（以下、プラグＰ）が接続可能になっている。このレセプタクルＲは、シールドケース１００と、ボディ２００と、ＵＳＢ２.０用の４本の第１コンタクト３００ａと、ＵＳＢ３.０用の５本の第２コンタクト３００ｂとを備えている。以下、レセプタクルＲの各部について詳しく説明する。なお、図４Ｂ〜図５ＢにおいてプラグＰの挿入方向をαで示している。
【００２１】
シールドケース１００は、図１Ａ〜図３Ｃ、図５Ａ及び図５Ｂに示すように、導電性を有する一枚の金属板がプレス成型されたものである。このシールドケース１００は、一対の内壁部１１０と、底板部１２０（第１連結部）と、一対の折り返し部１３０と、一対の外壁部１４０と、天板部１５０（第２連結部）と、一対の第１、第２接続用脚部１６０ａ、１６０ｂ、一対の台座部１７０と、カバー部１８０と、一対のタブ１９０とを備えている。
【００２２】
一対の内壁部１１０は、相対するように配置された略矩形状の板部であって、その間にプラグＰが挿入可能になっている。各内壁部１１０の挿入方向αの手前側部分には、図５Ａ及び図５Ｂに示すように、弾性接触片１１１が設けられている。弾性接触片１１１は前記手前側部分の一部が内側に切り起こされた片部材であって、挿入方向αの手前側に延び且つ内側に傾斜している。この弾性接触片１１１の先端部は内側に平面視略Ｖ字状に湾曲している。両弾性接触片１１１の頂部間の間隔はプラグＰのシェルＰ１の両側面の間の間隔よりも若干小さくなっている。また、前記手前側部分の弾性接触片１１１の周囲には略矩形状の開口１１２が形成されている。開口１１２は弾性接触片１１１を切り起こすために、前記手前側部分の弾性接触片１１１の周囲をカットした結果、形成されたものである。また、各内壁部１１０の挿入方向αの奥側部分には、挿入方向αに延びるガイド溝１１３が設けられている。前記奥側部分のガイド溝１１３の下側には、係止片１１４が設けられている。係止片１１４も前記奥側部分の一部が切り起こされた片部材であって、挿入方向αの手前側に延び且つ内側に傾斜している。前記奥側部分の係止片１１４の周囲には略矩形状の開口１１５が形成されている。開口１１５は係止片１１４を切り起こすために、前記奥側部分の係止片１１４の周囲をカットした結果、形成されたものである。なお、各内壁部１１０の挿入方向αの手前側の前端１１０ａ、奥側の後端１１０ｂが特許請求の範囲における内壁部の挿入方向の第１、第２端、下端１１０ｃが前端１１０ａ、後端１１０ｂに直角に交差する第３端、上端１１０ｄが下端１１０ｃの反対側の第４端である。
【００２３】
底板部１２０は、図５Ｂに示すように、一対の連結板１２１、１２２を有する。連結板１２１は一方の内壁部１１０の下端１１０ｃの手前側部分に連設され且つ当該内壁部１１０に対して略直角に折り曲げられた矩形状の板である。連結板１２２は他方の内壁部１１０の下端１１０ｃの手前側部分に連設され且つ当該内壁部１１０に対して略直角に折り曲げられた矩形状の板である。連結板１２１、１２２の内側端部は、ジクソーパズル片の如く凸凹形状となっており、互いに嵌合し且つカシメられている。このように連結板１２１、１２２の内側端部が結合されることにより、底板部１２０が両内壁部１１０の下端１１０ｃ間を連結している。また、連結板１２１、１２２の中央部には、ロック片１２１ａ、１２２ａが設けられている。このロック片１２１ａ、１２２ａは、連結板１２１、１２２の中央部の一部が切り起こされた片部材であって、挿入方向αの手前側に延び且つ上側に傾斜している。ロック片１２１ａ、１２２ａは、後述する挿入穴Ｓ１に挿入されたプラグＰのシェルＰ１の一対の下側係止穴に各々係止可能になっている。また、連結板１２１、１２２の後端の内側部分には、挿入方向αに凸の嵌合凸部１２１ｂ、１２２ｂが設けられている。
【００２４】
各折り返し部１３０は、図５Ａ及び図５Ｂに示すように、内壁部１１０の前端１１０ａに連設され、外側及び後側（すなわち、内壁部１１０の後端１１０ｂ側）に折り返された平面視Ｕ字状の板部である。この折り返し部１３０の内側端部は内壁部１１０の前端１１０ａに、折り返し部１３０の外側端部は外壁部１４０の前端に連続している。
【００２５】
各外壁部１４０は、図５Ａ及び図５Ｂに示すように、外形が内壁部１１０よりも若干大きい矩形状の板部である。この外壁部１４０は、内壁部１１０の外面に沿って配置されると共に、当該内壁部１１０の外面に当接している。また、外壁部１４０は内壁部１１０の開口１１２、１１５及びガイド溝１１３を覆っている。外壁部１４０の挿入方向αの手前側部分には、弾性接触片１１１の先端部が開口１１２を通じて対向する位置に略矩形状の逃がし孔１４１が設けられている。この逃がし孔１４１の外形は、内壁部１１０の開口１１２の外形よりも小さく且つ弾性接触片１１１の先端部の外形よりも若干大きい。すなわち、逃がし孔１４１は、弾性接触片１１１の先端部が開口１１２を通じて挿入可能になっている。なお、外壁部１４０の下端１４０ａが特許請求の範囲における外壁部の内壁部の第３端（すなわち、下端１１０ｃ）に対向する第１端、上端１４０ｂが前記第１端の反対側の第２端である。
【００２６】
各外壁部１４０の下端１４０ａには、挿入方向αの手前側部分に第１接続用脚部１６０ａが、挿入方向αの奥側部分に第２接続用脚部１６０ｂが垂下されている。第１、第２接続用脚部１６０ａ、１６０ｂは、内側に湾曲したＤＩＰ半田付け用の片部材であって、図７に示す基板１０の第１、第２スルーホール１１、１２に半田接続可能になっている。シールドケース１００は、第１、第２スルーホール１１、１２を介して基板１０のグランドに接続される。また、外壁部１４０の下端１４０ａの第１、第２接続用脚部１６０ａ、１６０ｂの間には、矩形状の台座部１７０が設けられている。この台座部１７０の下端の高さ位置が、図４Ｂ及び図４Ｃに示すように、ボディ２００の本体部２１０の下端の高さ位置と一致している。すなわち、台座部１７０は、ボディ２００の本体部２１０と共に基板１０上に載置される部位である。
【００２７】
天板部１５０は、図１Ａに示すように、両外壁部１４０の上端１４０ｂを連結する矩形状の板部である。この天板部１５０、一対の内壁部１１０及び底板部１２０がボディ２００を収容するための収容空間Ｓを区画している（図５Ａ及び図５Ｂ参照）。また、この収容空間Ｓにおいて、一対の内壁部１１０の前記手前側部分、底板部１２０、天板部１５０の挿入方向αの手前側部分及びボディ２００の本体部２１０の前面（ボディの前面）により区画される空間が挿入穴Ｓ１となっている（図４Ａ〜図４Ｃ参照）。この挿入穴Ｓ１にプラグＰが挿入方向αに沿って挿入可能になっている。天板部１５０の手前側部分には、一対のロック片１５１が設けられている。このロック片１５１は、天板部１５０の手前側部分の一部が切り起こされた片部材であって、挿入方向αの手前側に延び且つ下側に傾斜している。また、前記手前側部分のロック片１５１の間には、弾性接触片１５２が設けられている。弾性接触片１５２は、是手前側部分の一部が切り起こされた片部材であって、挿入方向αの奥側に延び且つ下側に傾斜している。ロック片１５１は、挿入穴Ｓ１に挿入されたプラグＰのシェルＰ１の一対の上側係止穴に各々係止可能になっている。弾性接触片１５２は、挿入穴Ｓ１に挿入されたプラグＰのシェルＰ１の上面に弾性接触可能になっている。更に、天板部１５０の挿入方向αの奥側部分には、一対の当て止め用の突起１５３が設けられている。
【００２８】
カバー部１８０は、図４Ｂ〜図５Ｂに示すように、天板部１５０の後端に連設され且つ当該天板部１５０に対して略直角に折り曲げられた矩形状の板部である。カバー部１８０の幅寸法は、外壁部１４０の外面間の直線距離よりも若干大きく、カバー部１８０の高さ寸法は天板部１５０の上面から底板部１２０の下面までの直線距離と略同じになっている。このカバー部１８０が収容空間Ｓの挿入方向αの後側（一方側）の開放部を塞ぐと共にボディ２００の本体部２１０の後面（ボディ２００の後面）を覆っている。このカバー部１８０の幅方向の両端には、一対のタブ１９０が連設されている。各タブ１９０は、カバー部１８０に対して略直角に折り曲げられた矩形状の板部であって、外壁部１４０の挿入方向αの奥側部分の外面に沿うと共に当該外面に当接している。タブ１９０の下端部には、矩形状の係止凹部１９１が設けられている。一方、各外壁部１４０の奥側部分には、係止凹部１９１に対応する位置に係止凸部１４２が設けられている。係止凸部１４２は、外壁部１４０の奥側部分の一部を外側に切り起こした片部材であって、係止凹部１９１に嵌合している。これにより、タブ１９０が外壁部１４０の奥側部分の外面に沿った状態が維持されている。
【００２９】
ボディ２００は絶縁樹脂製の射出成型品である。このボディ２００は、図６Ａ及び図６Ｂに示すように、略矩形状の本体部２１０と、この本体部２１０の前面の中央部に突設された板状の凸部２２０とを有している。本体部２１０はシールドケース１００の収容空間Ｓの挿入方向αの奥側空間に収容され、凸部２２０は収容空間Ｓの挿入方向αの手前側空間（すなわち、挿入穴Ｓ１）に収容されている。本体部２１０の幅方向の両側面の上端部には、挿入方向αに延びた一対のガイド凸部２１１が設けられている。本体部２１０の前記両側面のガイド凸部２１１の下側には、上下方向に延びた係止溝２１２が設けられている。本体部２１０の前面の上端部には、一対の凹部２１３が設けられている。本体部２１０の前面の下端部には、前方（挿入方向αの手前側）に凸の板状の支持部２１４が設けられている。また、本体部２１０の前面の支持部２１４の上側中央には、矩形状の嵌合凹部２１５が設けられている。
【００３０】
図４Ａ〜図４Ｃに示すように、ガイド凸部２１１がシールドケース１００の内壁部１１０のガイド溝１１３に各々挿入方向αに移動自在に挿入され、凹部２１３にシールドケース１００の天板部１５０の突起１５３が嵌合し、嵌合凹部２１５に底板部１２０の嵌合凸部１２１ｂ、１２２ｂが嵌合し、係止溝２１２にシールドケース１００の係止片１１４が係止され、且つ支持部２１４がシールドケース１００の底板部１２０を支持している。更に、本体部２１０の後面がシールドケース１００のカバー部１８０に当接されている。すなわち、本体部２１０は、シールドケース１００の天板部１５０の突起１５３及び底板部１２０の後端面と、カバー部１８０との間で挟持されると共に、ガイド凸部２１１がガイド溝１１３に、係止溝２１２に係止片１１４が、嵌合凹部２１５に底板部１２０の嵌合凸部１２１ｂ、１２２ｂが嵌まり込むことにより、当該本体部２１０がシールドケース１００の収容空間Ｓの前記奥側空間に位置固定されている。
【００３１】
本体部２１０の中央部には、挿入方向αに貫通する４つの貫通孔２１６が幅方向に所定間隔をあけて配設されている。また、本体部２１０の後面には、貫通孔２１６と同じ間隔で４つの収容溝２１７が設けられている。収容溝２１７は、貫通孔２１６に連通している。凸部２２０の上面には、貫通孔２１６と同じ間隔で４つの収容凹部２２１が設けられている。この収容凹部２２１は貫通孔２１６に連通している。また、収容凹部２２１は、図４Ｂに示すように、深さ寸法が挿入方向αの手前側に向けて暫時増大した後、一定となっている。収容凹部２２１の挿入方向αの手前側の縁部には、当て止め部２２１ａが突設されている。凸部２２０の上面の挿入方向αの手前側端部には、５つの略矩形状の穴部２２２が設けられている。収容凹部２２１と穴部２２２とは千鳥配置されている。
【００３２】
第１、第２コンタクト３００ａ、３００ｂは、図４Ａ〜図４Ｃに示すように、ボディ２００に上下二列で幅方向に千鳥配列されている。各第１コンタクト３００ａは、図４Ｂに示すように、導電性を有する略Ｌ字状の金属板であって、可動部３１０ａと、固定部３２０ａと、垂下部３３０ａと、テール部３４０ａとを有している。固定部３２０ａは、ボディ２００の貫通孔２１６よりも若干幅広の板部であって、当該貫通孔２１６に後方から圧入され固定されている。可動部３１０ａは、固定部３２０ａの挿入方向αの手前側端部に連設された長尺状の板部であって、ボディ２００の収容凹部２２１に上下動自在に収容されている。この可動部３１０ａの先端部は、上側に下向きＶ字状に折り曲げられ、先端が収容凹部２２１の当て止め部２２１ａに下方から弾性的に当接している。垂下部３３０ａは、固定部３２０ａの挿入方向αの奥側端部に連設され且つ固定部３２０ａに対して略直角に折り曲げられた長尺状の板部であって、ボディ２００の収容溝２１７に収容されている。テール部３４０ａは、垂下部３３０ａの下端に連設され且つボディ２００の本体部２１０の下面から突出した直線状のピンであって、基板１０の第３スルーホール１３に半田接続可能になっている。第１コンタクト３００ａは、第３スルーホール１３を介して基板１０の信号ラインに接続される。
【００３３】
各第２コンタクト３００ｂは、図４Ｃに示すように、導電性を有する略Ｌ字状の金属板であって、接触部３１０ｂと、固定部３２０ｂと、テール部３３０ｂとを有している。固定部３２０ｂは、ボディ２００の本体部２１０及び凸部２２０に埋設された略Ｌ字状の板部である。接触部３１０ｂは、固定部３２０ｂの挿入方向αの手前側端部に連設された略Ｌ字状の板部であって、先端部がボディ２００の穴部２２２から露出している。テール部３３０ｂは、固定部３２０ｂの下端に連設されボディ２００の本体部２１０の下面から突出した直線状のピンであって、基板１０の第４スルーホール１４に半田接続可能になっている。第２コンタクト３００ｂは、第４スルーホール１４を介して基板１０の別の信号ラインに接続される。
【００３４】
以下、上述したような構成のレセプタクルＲの組み立て手順について詳しく説明する。まず、導電性を有する金属板をプレス成型して第１、第２コンタクト３００ａ、３００ｂを作成する。その後、インサート成型により第２コンタクト３００ｂの接触部３１０ｂの後端部及び固定部３２０ｂが埋設されたボディ２００を用意する。プレス成型時に、接触部３１０ｂの先端部がボディ２００の穴部２２２から露出する。その後、ボディ２００の貫通孔２１６に第１コンタクト３００ａの可動部３１０ａを各々後方から挿入し、固定部３２０ａを貫通孔２１６に各々圧入すると、可動部３１０ａがボディ２００の収容凹部２２１に挿入され、垂下部３３０ａがボディ２００の収容溝２１７に収容される。このとき、可動部３１０ａの先端が収容凹部２２１の当て止め部２２１ａに下方から弾性的に当接する。これを繰り返すことにより、全第１コンタクト３００ａがボディ２００に固定される。
【００３５】
その後、導電性を有する一枚の金属板をプレス成型し、カバー部１８０が天板部１５０に対して直線状であるシールドケース１００を用意する。その後、ボディ２００のガイド凸部２１１をシールドケース１００のガイド溝１１３に挿入しつつ、当該ボディ２００をシールドケース１００の収容空間Ｓに後方から挿入する。すると、ボディ２００の凹部２１３にシールドケース１００の天板部１５０の突起１５３が嵌合し、ボディ２００の嵌合凹部２１５に底板部１２０の嵌合凸部１２１ｂ、１２２ｂが嵌合し、ボディ２００の係止溝２１２にシールドケース１００の係止片１１４が係止され、且つボディ２００の支持部２１４がシールドケース１００の底板部１２０に下方から当接する。このとき、ボディ２００の凸部２２０が収容空間Ｓの挿入穴Ｓ１に挿入される。その後、シールドケース１００のカバー部１８０を天板部１５０に対して略直角に折り曲げてボディ２００の後面に当接させる。このとき、シールドケース１００のタブ１９０が外壁部１４０の奥側部分の外面に当接すると共に、タブ１９０の係止凹部１９１に外壁部１４０の係止凸部１４２嵌合する。
【００３６】
以下、このように組み立てられたレセプタクルＲが基板１０に実装される。具体的には、レセプタクルＲの一対の第１、第２接続用脚部１６０ａ、１６０ｂを基板１０の一対の第１、第２スルーホール１１、１２に各々挿入する。これと共に、レセプタクルＲの第１、第２コンタクト３００ａ、３００ｂのテール部３４０ａ、３３０ｂを基板１０の第３、第４スルーホール１３、１４に各々挿入する。この状態で、第１、第２接続用脚部１６０ａ、１６０ｂを第１、第２スルーホール１１、１２に、テール部３４０ａ、３３０ｂを第３、第４スルーホール１３、１４に各々半田付けする。
【００３７】
以下、このように基板１０に実装されたレセプタクルＲにプラグＰを接続する方法について説明すると共に、レセプタクルＲの各部の動作について説明する。なお、プラグＰの先端側の接続部は、角筒状の導電金属製のシェルＰ１内に、ＵＳＢ３.０、２.０用の第１、第２コンタクトが配列されたボディが収容された構成となっている。
【００３８】
プラグＰの接続部がレセプタクルＲの挿入穴Ｓ１に挿入されると、プラグＰの第１コンタクトＰ２ａがレセプタクルＲの第１コンタクト３００ａの可動部３１０ａに、プラグＰの第２コンタクトＰ２ｂがレセプタクルＲの第２コンタクト３００ｂの接触部３１０ｂに各々弾性接触する。このとき、レセプタクルＲのロック片１２１ａ、１２２ａがプラグＰのシェルＰ１の一対の下側係止穴に、ロック片１５１がプラグＰのシェルＰ１の一対の上側係止穴に各々係止され、プラグＰがレセプタクルＲに接続された状態が維持される。これと共に、レセプタクルＲの一対の弾性接触片１１１の先端部がプラグＰのシェルＰ１の幅方向の両側面に弾性的に接触し、弾性接触片１５２がシェルＰ１の上面に弾性的に接触する。これにより、シェルＰ１がシールドケース１００に電気的に接続され、当該シールドケース１００を介して基板１０のグランドに接続される。
【００３９】
弾性接触片１１１の先端部がプラグＰのシェルＰ１の前記両側面に弾性的に接触すると、当該弾性接触片１１１が弾性変形し、先端部が外側に変位して内壁部１１０の開口１１２を通じて外壁部１４０の逃がし孔１４１に挿入される。弾性接触片１５２もシェルＰ１の上面に弾性的に接触すると、当該弾性接触片１５２が上方に弾性変形し、先端部が上側に変位する。
【００４０】
このようなレセプタクルＲによる場合、第１接続用脚部１６０ａがシールドケース１００の外壁部１４０の手前側部分に設けられているので、プラグＰの接続部が挿入穴Ｓ１に挿入された状態で、当該レセプタクルＲに負荷をかけたとしても、接続用脚部が奥側部分に位置していた従来例に比べて、第１接続用脚部１６０ａと基板１０との半田接続部にかかる負荷の低減を図ることができる。しかも、外壁部１４０の奥側部分には、第２接続用脚部１６０ｂが設けられている。よって、レセプタクルＲの基板１０に対する剥離強度を向上させることができる。
【００４１】
また、外壁部１４０が内壁部１１０の外面に沿うように配置され、当該内壁部１１０を補強すると共に、タブ１９０が外壁部１４０の奥側部分の外面に沿って配置され、外壁部１４０及び内壁部１１０を補強している。よって、内壁部１１０に弾性接触片１１１等を切り起こして作成したとしても、シールドケース１００の強度低下を抑制することができる。これに加えて、外壁部１４０の上端１４０ｂが天板部１５０で連結されているため、シールドケース１００の強度（こじり強度を含む。）を向上させることができる。更に、外壁部１４０が内壁部１１０の開口１１２、１１５を覆っているため、内壁部１１０に弾性接触片１１１等を切り起こして作成したとしても、シールドケース１００のＥＭＩ特性の低下を抑制することができる。
【００４２】
なお、上述したレセプタクルＲ及びシールドケース１００は、上記実施の形態では限定されるものでなく、特許請求の範囲の範囲において任意に設計変更することが可能である。以下、詳しく述べる。
【００４３】
上記実施の形態では、外壁部は内壁部に当接しているとしたが、外壁部は内壁部の強度を補強できる程度に内壁部に沿って配置されていれば良い。例えば、外壁部が内壁部に若干の隙間を有して配置されており、当該内壁部が撓む際に外壁部に当接して支持されるようになっていても良い。上記実施の形態では、内壁部には、弾性接触片を切り起こした結果、開口が形成されているとしたが、開口に代えて切欠き部等が形成されるように設計変更すること可能である。内壁部に切欠き部が形成される場合であっても、外壁部が内壁部に沿うように配置されることにより、シールドケースの強度低下を抑制することができると共に、シールドケースのＥＭＩ特性の低下も抑制することができる。また、上記実施の形態では、外壁部に逃がし孔が設けられているとしたが、弾性接触片の先端部の変位量が小さい場合には、逃がし孔を省略することができる。
【００４４】
上記実施の形態では、折り返し部は、内壁部の前端に連設され、後端側に折り返されているとしたが、内壁部の後端に連設され、前端側に折り返された構成とすることが可能である。すなわち、特許請求の範囲における内壁部の挿入方向の第１端を内壁部の後端、内壁部の第２端を前端とすることも可能である。
【００４５】
上記実施の形態では、第１、第２接続用脚部が外壁部の下端部に垂下されているとしたが、少なくとも第１接続用脚部が外壁部の挿入方向の手前側部分に設けられている限り任意に設計変更すること可能である。したがって、第１、第２接続用脚部は、外壁部の下端部に垂下されている必要はなく、外壁部の一部（例えば、内壁部の開口や切欠き部を覆う部分でない部分等）を切り起こして作成するようにしても良い。更に、第１、第２接続用脚部は、ＤＩＰ半田付け用の片部材であるとしたが、外壁部に対して略直角に折り曲げられ且つ基板上の電極に接続可能なＳＭＴ用の足とすることも可能である。第１、第２コンタクトのテール部も同様に略直角に折り曲げて基板上の電極に接続可能なＳＭＴ用の足とすることが可能である。なお、第１、第２接続用脚部は、外壁部でなく、タブに設けることも可能である。
【００４６】
上記実施の形態では、天板部が外壁部の上端を連結しているとしたが、これに限定されるものではない。例えば、図８に示すように、天板部１５０’が内壁部１１０’の上端１１０ｄ’の間を連結するように設計変更することも可能である。この場合、天板部１５０’、内壁部１１０’及び底板部１２０が収容空間Ｓを区画し、天板部１５０’、内壁部１１０’、底板部１２０及びボディ２００の上記前面が挿入穴Ｓ１を区画している。収容空間Ｓについては、天板部、内壁部及び底板部のみで区画されるものではなく、内壁部の開口や切欠き部の形状が大きい場合には、天板部、内壁部、外壁部及び底板部で区画するように設計変更することも可能であり、挿入穴Ｓ１についても、外壁部を加えて区画されるように設計変更することが可能である。また、天板部を省略することも可能である。この場合、例えば、電子機器の内部フレーム等を天板部の代わりにすることができる。また、上記実施の形態では、底板部が２つの連結板からなり、内側端部同士が嵌合するとしたが、これに限定されるものではない。例えば、天板部を２つの連結板で構成し、内側端部同士が結合される形態とすることも可能である。
【００４７】
上記実施の形態では、天板部及び底板部にロック片が設けられているとしたが、天板部及び底板部のいずれか一方のみに設けることも可能であるし、双方とも省略することが可能である。また、上記実施の形態では、底板部にも弾性接触片が設けられているとしたが、省略することが可能である。
【００４８】
上記実施の形態では、カバー部が収容空間Ｓの後方を塞ぐとしたが、これに限定されるものではなく、カバー部を省略することも可能である。カバー部を省略する場合には、タブも省略される。また、上記実施の形態では、タブは、カバー部の幅方向の両端に設けられているとしたが、内壁部の第２端に設け、第１端側に折り返し、外壁部の外面に沿うように配置することも可能である。
【００４９】
上記実施の形態では、タブに係止凹部、外壁部に係止凸部が設けられているとしたが、タブに係止凸部、外壁部に係止凹部を設けることが可能である。また、係止凹部を係止孔に代えて、係止凸部を係止孔に係止させるように設計変更することも可能である。前記係止凸部は、切り上げ片に限定されるものではなく、突起状のものである限り任意に設計変更することが可能である。
【００５０】
上記実施の形態では、レセプタクルは、第１、第２コンタクトを備えているとしたが、少なくとも一種類のコンタクトを備えていれば良い。上記実施の形態では、ボディは、本体部と、凸部とを有するとしたが、シールドケースの収容空間に収容可能であり且つコンタクトを保持し得るものである限り、どのような形状に設計変更しても構わない。
【００５１】
なお、上記実施の形態では、シールドケース、ボディ及びコンタクトの各部を構成する素材、形状、寸法及び配置等はその一例を説明したものであって、同様の機能を実現し得る限り任意に設計変更することが可能である。上記実施の形態では、本発明は、Ｓｔｄ-ＵＳＢ用のレセプタクルコネクタを例に挙げて説明したが、その他のレセプタクルコネクタやプラグコネクタにも適応可能である。本発明をプラグコネクタに適応する場合には、例えば、シールドケースが実装される基板の端部等にケーブルを接続するようにすれば良い。
【符号の説明】
【００５２】
Ｒ・・・・・・レセプタクル
１００・・・・シールドケース
１１０・・・内壁部
１１０ａ・前端（第１端）
１１０ｂ・後端（第２端）
１１０ｃ・下端（第３端）
１１０ｄ・上端（第４端）
１１１・・弾性接触片
１１２・・開口
１１３・・ガイド溝
１１４・・係止片
１１５・・開口
１２０・・・底板部
１２１ａ、１２２ａ・ロック片
１３０・・・折り返し部
１４０・・・外壁部
１４０ａ・下端（第１端）
１４０ｂ・上端（第２端）
１４１・・逃がし孔
１４２・・係止凸部
１５０・・・天板部  
１５１・・ロック片
１５２・・弾性接触片
１５３・・突起
１６０ａ・・第１接続用脚部
１６０ｂ・・第２接続用脚部
１７０・・・台座部
１８０・・・カバー部
１９０・・・タブ
１９１・・係止凹部
Ｓ・・・・収容空間
Ｓ１・・・挿入穴
２００・・・・ボディ
２１０・・・本体部
２２０・・・凸部
３００ａ・・・第１コンタクト
３１０ａ・・可動部
３２０ａ・・固定部
３３０ａ・・垂下部
３４０ａ・・テール部
３００ｂ・・・第２コンタクト
３１０ｂ・・接触部
３２０ｂ・・固定部
３３０ｂ・・テール部
α・・・・・・挿入方向
１０・・・・・基板
１１〜１４・第１〜第４スルーホール
Ｐ・・・プラグ
Ｐ１・・シェル
【図１Ａ】
0005587713.tif 000002
【図１Ｂ】
0005587713.tif 000003
【図２Ａ】
0005587713.tif 000004
【図２Ｂ】
0005587713.tif 000005
【図３Ａ】
0005587713.tif 000006
【図３Ｂ】
0005587713.tif 000007
【図３Ｃ】
0005587713.tif 000008
【図４Ａ】
0005587713.tif 000009
【図４Ｂ】
0005587713.tif 000010
【図４Ｃ】
0005587713.tif 000011
【図５Ａ】
0005587713.tif 000012
【図５Ｂ】
0005587713.tif 000013
【図６Ａ】
0005587713.tif 000014
【図６Ｂ】
0005587713.tif 000015
【図７】
0005587713.tif 000016
【図８】
0005587713.tif 000017